(57)【要約】【課題】肩紐の肩に当る部分を湾曲させて肩の三角筋と僧帽筋の境界線の形状に一致させ、その境界線の身体の窪みに肩紐を収められると共に、肩紐の面圧の集中を防止するために肩に当る部分にクッション材を入れて圧力を分散させる。【解決手段】ブラジャー等の女性用下着や水着等に付属する肩紐であって、肩に当る部分を一側方に突出する湾曲部４に形成してある。【選択図】        図１
2004232127.tif 000002
【特許請求の範囲】
【請求項１】
ブラジャー等の女性用下着や水着等に付属する肩紐であって、肩に当る部分を一側方に突出する湾曲部に形成してあることを特徴とする肩紐。
【請求項２】
湾曲部の内部にクッション材を内在してある請求項１に記載の肩紐。
【請求項３】
クッション材は不織布またはゲル状物質である請求項２に記載の肩紐。
【発明の詳細な説明】
【０００１】
【発明の属する技術分野】
本発明は、ブラジャー、ボディスーツ、スリップ等の女性用下着や水着等の肩紐に関するもので、さらに詳しくは、肩からずれ落ちることがなく、着用感に優れた肩紐に関するものである。
【０００２】
【従来の技術】
ブラジャー、ボディスーツ、スリップ等の女性用下着や水着等には、乳房を立体的に覆い着用者のバストシルエット全体を美しく整容する機能があると共に、バストとバストトップ（乳首）の位置を美しく見えるようにするため、上方向にバストカップを吊り上げる機能が必要とされ、そのための肩紐が取り付けられている。
【０００３】
バストのトップ位置は、着用者により個人差があってブラジャーカップの理想位置への固定、すなわちバストカップによるバストシルエットの形状保持と、そのバストカップの頂点位置を着用者の理想体形に合わせる目的で肩紐には長さを調整する機能が必要とされる。
【０００４】
バストのトップ位置は、年齢の経過や出産を経験することにより垂下するが、美しい若年女性のシルエットに類似させるためには、バスト全体、特にバストトップの位置を上方向に位置させることが重要なポイントになっている。
【０００５】
しかし、肩紐はブラジャー等の女性下着や水着等の着用者の身体動きにより、バストから見た肩の相対的位置が上下に変化することから、肩紐の長さが一定で固定され伸縮特性のない場合は、肩紐長さが身体皮膚延長を瞬間的に超えることで緩み、さらに首筋から肩方向に傾斜していることから、肩紐の位置ズレが徐々に発生して甚だしい場合は肩から脱落することがある。
【０００６】
このような肩紐の肩からの外れ、位置ズレの不具合を避けるために、肩紐に長さ方向の弾力性や伸縮性を付与することにより、着用者の身体皮膚の伸縮動きに追随して伸縮することで肩紐が肩から脱落することのないように工夫されている。しかしながら、着用者の身体運動が大きく・激しくなるとこの伸縮限度を超えることがあり、現状の設計は必ずしも十分とは言えないものである。
【０００７】
さらに、着用者の身体運動による緩みや肩からの脱落を防止しようとして、ブラジャー等の女性用下着や水着等の着用者が肩紐を意図的に短く設定し、着用時の身体運動で発生する肩紐の弛みに対抗する場合がある。このような着用方法では、肩紐に常時強いテンションが発生して皮膚を押さえて圧迫することから、皮下の血流を阻害し肩凝りを起因させる問題がある。
【０００８】
この肩紐によるテンションの発生により生じる肌に対する圧力（単位面積あたりの圧力）を下げる目的で、肩に当る肩紐の部分の幅を広げた肩紐が存在する。（例えば、特許文献１〜３参照）
また、肩紐調節具の紐通し孔の角度を傾斜させることで肩紐の接続角度を変えて肩紐が片側に移動することを防止するのもある。（例えば、特許文献４参照）
【０００９】
【特許文献１】
実開昭６３−１７７９２０号公報（第３〜４頁、図２）
【特許文献２】
実開平１−３７４０８号公報（第７〜８頁、図１）
【特許文献３】
特開平７−４８７５３号公報（第３頁、図１）
【特許文献４】
特開２００２−６１００６号公報（第４〜５頁、図２）
【００１０】
【発明が解決しょうとする課題】
しかしながら、前記の特許文献１〜３は、肩紐の素材が柔軟であることから、幅を広げても肩紐の中心線部分の面圧が高くなり、肩紐幅全体にわたって均等に圧力がかかる構造を実現出来なかったため、必ずしも十分な効果を得ることができなかった。また、前記の特許文献４は、スライダ−の孔内部での肩紐の遊びがあり、効果が確実とは言えない問題があった。
【００１１】
本発明は上記のような問題を解決することを課題として研究開発されたもので、肩紐の肩に当る部分を湾曲させて肩の三角筋と僧帽筋の境界線の形状に一致させ、その境界線の身体の窪みに肩紐を収められると共に、肩紐の面圧の集中を防止するために肩に当る部分にクッション材を入れて圧力を分散させるようにした肩紐を提供するものである。
【００１２】
【課題を解決するための手段】
上記の課題を解決し、その目的を達成する手段として、本発明では、ブラジャー等の女性用下着や水着等に付属する肩紐であって、肩に当る部分を一側方に突出する湾曲部に形成してあることを特徴とする肩紐を開発し、採用した。
【００１３】
また、本発明は、上記のように構成した肩紐において、湾曲部の内部にクッション材を内在してある肩紐、およびクッション材は不織布またはゲル状物質である肩紐を開発し、採用した。
【００１４】
【発明の実施の形態】
以下に本発明の実施の形態を添付図面に基づいて説明すれば、１は下端部がカップ布に取り付けられ、上端部がバック布に取り付けられる肩紐で、その上下両端部２，３を垂直状で細幅に形成すると共に、その上下両端部２，３の垂直部から一側中央部に向かって徐々に幅広くなる湾曲部４（着用時の肩上に位置する部分）に形成してある。
【００１５】
上下両端部２，３は、その一方あるいは両端部が縦方向に伸縮性良好な生地であればよく、表生地５と裏生地６とを２枚接合して形成されているが、１枚の生地でもよいのは勿論のことである。
【００１６】
一方、湾曲部４は上下両端部２，３と異なり伸縮性の無い生地で構成されている。その理由は、一般的な肩紐のように、経糸にウレタン系弾性糸を使用し、緯糸でそれらを固定しつつ装飾模様を構成している肩紐は、肩紐全体が伸縮することから、肩紐１の前後からテンションがかかった場合に湾曲部４の形状を維持出来なくなるからである。
【００１７】
その湾曲部４には、表生地５と裏生地６との間に、芯生地７を介して内部に３ｍｍ程度の厚さの略三日月状にカットしたクッション材８の不織布８ａを挿入してあり、横方向の曲げ応力に対抗して着用時の肩紐１が湾曲した形状を維持するようにすると共に、厚み方向にクッション性を持たせて、肩紐１の幅全体にわたって均等に圧力がかかる構造にしてある。この結果、肩紐１にかかる力が分散され血行障害が少なくなり着心地が向上する。
【００１８】
上記の裏生地６には肌触りの良いカットパイル生地が使用され、表生地５にはブラジャ−カップの生地にあわせてデザインの生地を使用するが、湾曲部４には肩紐１としての伸縮性を具備する必要がないので、当然、自然派指向の強いデザインに対しては綿混の生地を使用することも可能である。
【００１９】
上記の実施の形態のクッション材８としては、略三日月状にカットした不織布８ａで説明したが、不織布８ａの代わりに、ゲル状物質８ｂを用いることもある。すなわち、図３に示すように、ゲル状物質８ｂの上下にウレタンフィルム９，９で覆い両側縁を熱接着して封入し、表生地５と裏生地６とを接着して使用する場合もある。このゲル状物質８ｂの場合においても、上記と同様の略三日月形状に形成して挿入することは同じであり、肩紐１にかかる圧力の分散効果をさらに向上させ、形状保持能力、フイット性も向上できるものである。
【００２０】
また、上記のように、肩に当るクッション材８の形状が略三日月の形状をしており、肩紐１の肩に当る部分が湾曲部４で肩の三角筋と僧帽筋の境界線の窪み形状に一致していることから、移動し難くなって肩紐位置のズレの防止に効果の高いものになっている。
【００２１】
上記のように構成した実施の形態による肩紐１の使用例を作用、効果と共に説明すれば、従来の肩紐と異なり、肩上部で紐が捩れたりすることがなく着用に優れる。また、肩紐１の湾曲部４の内部にクッション材８として不織布８ａを挿入したことにより、肌当たりが柔らかくなり部分的に厚みを増すが、この厚い部分は湾曲していて肩の三角筋と僧帽筋の境界線に存在する身体の窪みに収まり着用時の外観も盛り上がることなくスッキリしたものになる。
【００２２】
さらに肩紐１により発生する身体に対する圧力軽減効果を最大に引き出すために、クッション材８としてゲル状物質８ｂを肩紐１の湾曲部４の内部に納め、三角筋と僧帽筋の境界部に沿わせたので、ゲル物質８ｂがバストにより肩紐１が引っ張られることで発生した力を完全に分散したことから、バスト重量を感じない、優れたブラジャ−になることが判明した。
【００２３】
以上、本発明の主要な実施の形態について説明したが、本発明は、これらの実施の形態に限定されるものではなく、発明の目的を達成でき、かつ発明の要旨を逸脱しない範囲内で種々の設計変更が可能であり、それらも全て本発明の範囲に包含されるものである。
【００２４】
【発明の効果】
以上のように、本発明の請求項１の発明は、ブラジャー等の女性用下着や水着等に付属する肩紐であって、肩に当る部分を一側方に突出する湾曲部に形成してあるから、三角筋と僧帽筋の境界線の窪み形状に合致するので肩紐は移動しなくなり、位置ズレおよびズレ落ちることがなくなる。
【００２５】
また、本発明の請求項２の発明は、湾曲部の内部にクッション材を内在してあるから、面圧を下げ圧力を分散させ肩部の圧迫感がなくなって血行障害がなくなり肩こりがなくなる。
【００２６】
さらに、本発明の請求項３の発明は、クッション材は不織布またはゲル状物質であるから、肌当りが柔らかくて圧力を完全に分散でき、かつ形状保持能力、フイット性に優れるものである。
【図面の簡単な説明】
【図１】肩紐の正面図である。
【図２】図１のＡ−Ａ線切断端面図である。
【図３】クッション材がゲル状物質の断面図である。
【図４】着用状態を示す斜視図である。
【符号の説明】
１      肩紐
４    湾曲部
８    クッション材
８ａ  不織布
８ｂ  ゲル状物質
【図１】
2004232127.tif 000003
【図２】
2004232127.tif 000004
【図３】
2004232127.tif 000005
【図４】
2004232127.tif 000006